(57)【要約】【課題】埋込型照明器具において、灯体の首振り角度に応じて変化する光照射範囲を広くする。【解決手段】埋込型照明器具１は、天井Ｃの器具取付面Ｃ１に形成された埋込穴に取り付けられる本体部と、この本体部に対して首振り自在に設けられる灯体４と、を備える。この本体部は、灯体４を首振り自在に支持する支持体３１と、この支持体３１を器具取付面Ｃ１に沿う方向に移動可能に支持するコーン３２と、を有する。灯体４は、支持体３１の軸受け部に挿通されたねじ８１により軸支されている。上記構成により、首振り軸であるねじ８１を器具取付面Ｃ１に沿う方向に移動させることにより、灯体４の首振り時においても、灯体４の光源６の光軸（破線で示す）が本体部のコーン３２と重ならないようにできる。このため、光照射範囲を広く設定できる。【選択図】図４
2008047448.tif 000002
【特許請求の範囲】
【請求項１】
器具取付面に形成された埋込穴に取り付けられる本体部と、
前記本体部に対して首振り自在に設けられる灯体と、を備え、光照射方向を可変とした埋込型照明器具において、
前記灯体は、前記本体部に対して前記器具取付面に沿う方向に移動可能な首振り軸により支持されていること特徴とする埋込型照明器具。
【請求項２】
前記首振り軸は、前記灯体の光照射口周縁の一端部近傍に設けられ、且つ、該灯体の軸心と前記本体部の投光用開口の軸心とが略一致する状態において該投光用開口の一端部近傍に位置することを特徴とする請求項１に記載の埋込型照明器具。
【発明の詳細な説明】
【技術分野】
【０００１】
本発明は、天井等の器具取付面に形成された埋込穴に取り付けられ、光照射方向を可変とした埋込型照明器具に関する。
【背景技術】
【０００２】
従来から、光照射方向を可変とした埋込型照明器具として、灯具が水平回転できるように支持部材に支持されると共に、灯具の所定角度以上の水平回転を阻止するため、相互に当接可能な一対のストッパが灯具と支持部材のそれぞれに設けられた照射方向可変型照明器具が知られている（例えば、特許文献１参照）。
【０００３】
上記の照明器具において、支持部材側のストッパは、灯具の水平回転と同方向の一定範囲を可動するように支持部材に取付けられる取付部と、灯具側のストッパに当接可能な突出部と、灯具の外周面を押える弾性部とを備える。この照明器具によれば、灯具の水平回転角を大きくすることができる。また、１個のストッパが突出部と弾性部とを備えるので、部品点数が減り、組み立て作業性が向上する。このため、コストダウンを図ることができる。
【特許文献１】特開２０００−３４８５２８号公報
【発明の開示】
【発明が解決しようとする課題】
【０００４】
しかしながら、特許文献１に記載の技術においては、光照射方向を変えるため灯具すなわち灯体を垂直方向に首振りさせるとき、灯体から出射された光が支持部材に遮られ、光照射範囲が制限されることがある。
【０００５】
本発明は、上記従来の問題を解決するためになされたものであり、灯体の首振り角度に応じて変化する光照射範囲を広く設定できる埋込型照明器具を提供することを目的とする。
【課題を解決するための手段】
【０００６】
上記目的を達成するために請求項１の発明は、器具取付面に形成された埋込穴に取り付けられる本体部と、前記本体部に対して首振り自在に設けられる灯体と、を備え、光照射方向を可変とした埋込型照明器具において、前記灯体は、前記本体部に対して前記器具取付面に沿う方向に移動可能な首振り軸により支持されているものである。
【０００７】
請求項２の発明は、請求項１に記載の埋込型照明器具において、前記首振り軸は、前記灯体の光照射口周縁の一端部近傍に設けられ、且つ、該灯体の軸心と前記本体部の投光用開口の軸心とが略一致する状態において該投光用開口の一端部近傍に位置するものである。
【発明の効果】
【０００８】
請求項１の発明によれば、首振り軸を器具取付面に沿う方向に移動させることにより、灯体の首振り時においても、灯体の光軸が本体部と重ならないようにできる。このため、光照射範囲を広く設定できる。
【０００９】
請求項２の発明によれば、首振り軸の軸線が、灯体の光照射口及び本体部の投光用開口と重ならないので、首振り軸の数を１本にでき、その軸受け部の数も１個にできる。従って、小型化を図ることができる。
【発明を実施するための最良の形態】
【００１０】
以下、本発明の一実施形態に係る埋込型照明器具について図面を参照して説明する。図１乃至図３（ａ）（ｂ）は、本実施形態に係る埋込型照明器具１の構成及び使用状態を示す。埋込型照明器具１は、例えば天井Ｃの器具取付面Ｃ１に形成された埋込穴に枠体２によって取り付けられる本体部３と、本体部３に対して首振り自在に設けられた灯体４と、を備える。この本体部３は、灯体４を首振り自在に支持する支持体３１と、この支持体３１を器具取付面Ｃ１に沿う方向に移動可能に支持するコーン３２と、支持体３１及びコーン３２を枠体２に取り付けるための取付ばね３３と、で構成される。これらは、上方から、支持体３１、取付ばね３３、コーン３２の順で配置されて一体に固定され、埋込穴に嵌めこまれる。以下に、埋込型照明器具１の各構成部品について詳細に説明する。
【００１１】
支持体３１は、外形が円状である基板３１１と、基板３１１上面の周縁の一部に、その周縁に沿って基板３１１に対して垂直に設けられた遮蔽壁３１２と、同様に基板３１１上面に垂直に設けられ、灯体４を首振り自在に軸支する軸が挿通される軸受け部３１３と、を一体に有する。遮蔽壁３１２は、軸受け部３１３から基板３１１の周縁に沿って離れるに連れて、その高さが高くなるように形成されており、その高さは、軸受け部３１３が在る基板３１１の一端部と反対側の端部付近で最も高い。また、軸受け部３１３には、灯体４の首振り角の範囲を規制するためストッパ３１３ａが設けられる。上記の基板３１１は、上方の灯体４から出射された光を通過させる開口３１１ａと、支持体３１をコーン３２に固定するためのねじ５１が挿入される長穴３１１ｂと、を有する。開口３１１ａの一端部近傍には、上記の軸受け部３１３が設けられる。長穴３１１ｂの数は例えば２個であり、その大きさは略等く、２個の長穴３１１ｂは平行して設けられる。首振り軸の軸線は、長穴３１１ｂの長手方向と略直交する。なお、支持体３１の形状は上記に限定されない。
【００１２】
コーン３２は、灯体４から出射された光が通過する貫通孔を有する円筒状部材から成り、平面視でその外形の大きさは支持体３１のそれと略等しい。上記の貫通孔は下方に階段状に拡径している。ここで、この貫通孔の上側開口を投光用開口３２ａという。この投光用開口３２ａの位置は、支持体３１の開口３１１ａに対応しており、投光用開口３２ａは平面視で開口３１１ａと重なる。また、投光用開口３２ａの開口面積は、支持体３１の開口３１１ａのそれより小さい。
【００１３】
さらに、コーン３２は、上面に、支持体３１の長穴３１１ｂに挿入されたねじ５１が挿入されるねじ孔３２ｂを有すると共に、外周面の最下部に、その全周に亘って設けられた鍔部３２１を有する。鍔部３２１の外径は、コーン３２の鍔部３２１以外の部分の外径と、支持体３１の外径よりも大きい。また、コーン３２の上面は、外周面に直交する平面であり、天井Ｃに取付時に器具取付面Ｃ１と略平行となる。なお、コーン３２の形状は上記に限定されない。
【００１４】
取付ばね３３は、例えば金属製の板状部材から成り、コーン３２の上面形状に応じて成形された平面視円弧状の上底部３３ａと、上底部３３ａの両端部のそれぞれに上底部３３ａと略直交し、コーン３２の側面形状に応じて成形された垂下部３３ｂと、を有する。上底部３３ａは、コーン３２の投光用開口３２ａを塞がないように成形されており、上底部３３ａのコーン３２のねじ孔３２ｂに対応する部位には、ねじ穴３３ｃが設けられる。さらに、取付ばね３３は、垂下部３３ｂと一続きであり、且つ、コーン３２の側面形状に応じて成形され、上側端部に枠体２が掛止される掛止部３３ｄを有する。この掛止部３３ｄの上側端部は、折り曲げられて上側に設けられた、枠体２に取り付け易くするためのテーパ面と、同様に下側に設けられた、枠体２から外れ難くするためのテーパ面とを有する。
【００１５】
上記の支持体３１、取付ばね３３及びコーン３２は、ねじ５１により固定されて本体部３を一体に構成する。これらの固定時に、ねじ５１は、上方から、支持体３１の長穴３１１ｂ及び取付ばね３３のねじ穴３３ｃに挿入され、コーン３２のねじ孔３２ｂにねじ入れられる。ねじ５１が支持体３１の長穴３１１ｂに挿入される際には、ねじ５１に、コイルばね５２と、次に座金５３とが通される。この座金５３は例えば平座金である。このように、支持体３１は、コイルばね５２を介してねじ５１により固定されるので、コイルばね５２の弾性力により、支持体３１をコーン３２に対してコーン３２上面に沿う方向に移動させることが可能になると共に、移動時のがたつきを抑制することができる。
【００１６】
支持体３１の移動方向は、コーン３２上面は器具取付面Ｃ１と略平行であるため、器具取付面Ｃ１に沿った方向である。移動の際、支持体３１は長穴３１１ｂの長手方向に動く。支持体３１が器具取付面Ｃ１に沿う方向に移動していないとき、支持体３１の開口３１１ａはコーン３２の投光用開口３２ａに対応した位置に在って平面視で重なる。支持体３１の移動のし易さは、ねじ５１の締め付けトルク又はねじ５１のねじ孔３２ｂに対するねじ入れ具合を調整することにより設定できる。なお、コイルばね５２、又はコイルばね５２及び平座金の代わりに、ばね座金をねじ５１に通してもよい。
【００１７】
枠体２は、例えば円筒状部材から成り、本体部３のコーン３２及び取付ばね３３が挿入される貫通孔と、外周面の最下部に外周に沿って鍔部２１１とを有する枠体本体２１と、側面に板状の取付ばね２２と、を備える。取付ばね２２は、例えば、枠体本体２１の側面の対向する部位にそれぞれ１個ずつ計２個取り付けられている。枠体本体２１の鍔部２１１以外の部分の外径は、天井Ｃの器具取付面Ｃ１に設けられた埋込穴の直径と略等しく、枠体２はその埋込穴に下方から嵌め込まれる。嵌め込み時に、鍔部２１１は器具取付面Ｃ１に当接し、枠体２の天井への入り具合を規制する。取付ばね２２は、弾性力により天井Ｃの埋込穴の側面に対して突っ張り、枠体本体２１を天井に固定する。なお、枠体２は、天井Ｃと平行な方向に回転可能である。
【００１８】
枠体２の高さは、取付ばね３３がコーン３２に取り付けられた状態において、コーン３２の鍔部３２１と、取付ばね３３の掛止部３３ｄの上側端部との間の高さと略等しい。従って、コーン３２及び取付ばね３３を枠体２に取り付けるときに、コーン３２の鍔部３２１と、取付ばね３３の掛止部３３ｄの上側端部とは枠体２を挟むことができる。枠体２を挟むことにより、コーン３２及び取付ばね３３は、自身を枠体２に固定する。このようにして、灯体４と、支持体３１、取付ばね３３及びコーン３２から成る本体部３とは、枠体２に保持される。なお、コーン３２には、灯体４を支持する支持体３１が固定されているので、コーン３２を、天井Ｃに固定された枠体２に取り付けるとき、灯体４及び支持体３１は天井Ｃ裏に収納されることになる。
【００１９】
灯体４は、上部の外形が例えば略円錐台状で、下部の外形が例えば略円柱状であり、下面に光照射用開口４ａを有し、内部にランプ等の光源６及び光源６を保持するためのソケット７を納装する。灯体４の上面及び側面には、光源６が発する熱を逃がすため通気用の開口４ｂが複数個設けられる。光源６から放射された光は、灯体４の光照射用開口４ａ（光照射口）から出射される。この光照射用開口４ａの位置は、支持体３１の開口３１１ａ及びコーン３２の投光用開口３２ａに対応している。支持体３１が器具取付面Ｃ１に沿う方向に移動していないとき、すなわち支持体３１に支持される灯体４が器具取付面Ｃ１に沿う方向に移動していないとき、光照射用開口４ａは、平面視で支持体３１の開口３１１ａ及びコーン３２の投光用開口３２ａと重なり、灯体４の軸心はコーン３２の投光用開口３２ａの軸心（一点破線で示す）と略一致する。なお、光源６は、例えば、白熱電球、ハロゲンランプ、メタルハライドランプ、電球形蛍光灯又は高輝度ＬＥＤランプであり、これらに限定されない。
【００２０】
灯体４の光照射用開口４ａ周縁の一端部近傍には、軸受け部４１が設けられる。この軸受け部４１に、ねじ８１が挿通され、同ねじがさらに支持体３１の軸受け部３１３に挿通される。これらの軸受け部４１、３１３に挿通されたねじ８１の先端には、ナット８２が締め込まれる。このとき、灯体４の軸受け部４１と支持体３１の軸受け部３１３は、ねじ８１及びナット８２の締め付けトルクが調整されることにより、灯体４が首振り可能となるように固定される。上記構成により、灯体４は、支持体３１の軸受け部３１３に挿通されたねじ８１（首振り軸）に軸支され、ねじ８１を首振り軸とし、支持体３１に対して首振り自在に設けられる。従って、灯体４の首振り角を変化させることにより、光照射方向を変えることができる。この首振り角は、任意に設定可能である。但し、灯体４の首振り角の範囲を制限するため、支持体３１の軸受け部３１３のストッパ３１３ａと当接するストッパ４１ａが、灯体４の軸受け部４１に設けられる。このように灯体４の首振り軸となるねじ８１は、支持体３１が器具取付面Ｃ１に沿った方向に移動可能であるため、支持体３１の移動と共に器具取付面Ｃ１に沿った方向に移動する。なお、ねじ８１は、上記とは逆の順で、支持体３１の軸受け部３１３及び灯体４の軸受け部４１に挿通されても構わない。
【００２１】
灯体４の首振り軸であるねじ８１は、上記の通り灯体４の光照射用開口４ａ周縁の一端部近傍に設けられ、且つ、灯体４が器具取付面Ｃ１に沿う方向に移動せず灯体４の軸心がコーン３２の投光用開口３２ａの軸心と略一致する状態において、コーン３２の投光用開口３２ａの一端部近傍に位置する。このため、首振り軸であるねじ８１の軸線が、灯体４の光照射用開口４ａ及びコーン３２の投光用開口３２ａと重ならないので、首振り軸の数を１本にでき、支持体３１の軸受け部３１３及び灯体４の軸受け部４１から成る軸受け部の数も１個にできる。その結果、支持体３１及び灯体４の小型化を図ることができ、埋込型照明器具１全体の小型化を図ることができる。さらに、灯体４は支持体３１やコーン３２の本体部３に接触して首振り角が狭められることがないので、広い範囲で首振り角を確保できる。このため、光照射範囲を広く確保できる。
【００２２】
これに対して、首振り軸の軸線が平面視でコーン３２の投光用開口３２ａを跨ぐ場合には、灯体４の光照射用開口４ａ近傍に首振り軸を２本、また軸受け部を２個設け、支持体３１にも軸受け部を２個設ける必要が生じる。従って、埋込型照明器具は大きくなる可能性がある。さらに、例えば首振り軸が、灯体４の光照射用開口４ａ近傍に配置され、その軸線が平面視でコーン３２の投光用開口３２ａの中心に位置する場合には、灯体４の首振り時に灯体４が支持体３１やコーン３２に接触する可能があり、広く首振り角を得ることができない。このため、灯体４を高い位置に設置する必要が生じ、埋込型照明器具が大きくなる可能性がある。本実施形態に係る埋込型照明器具１は、上記の通り、これらの課題を解決している。
【００２３】
次に、埋込型照明器具１における灯体４が移動したときの状態について説明する。図４（ａ）（ｂ）及び図５は、灯体４が移動して首振り設定されたときの埋込型照明器具１を示す。上記の通り、支持体３１は、取付ばね３３を介してコーン３２上に、天井Ｃの器具取付面Ｃ１に沿って移動可能に固定されており、この支持体３１は、ねじ８１を首振り軸として灯体４を首振り自在に支持するので、灯体４を天井Ｃの器具取付面Ｃ１に沿って移動させると共に、灯体４を首振り角を設定することが可能である。
【００２４】
支持体３１は、移動時に、灯体４の光源６から出射された光を遮らないようにするため、開口３１１ａの開口面積がコーン３２の投光用開口３２ａのそれより大きくなるように成形されている。支持体３１の移動方向、すなわち灯体４の移動方向は、支持体３１の長穴３１１ｂの長手方向であり、灯体４の首振り軸はこの長手方向と直交するので、灯体４は、長穴３１１ｂの長手方向で、且つ、器具取付面Ｃ１に対して垂直な方向に首振りすなわち傾動する。なお、灯体４の移動幅を大きく取り過ぎると、コーン３２の投光用開口３２ａ周縁と支持体３１との間に隙間が開いてしまい、天井Ｃ裏の建築構造物が下方から見えてしまうので、例えば支持体３１の長穴３１１ｂの長さを略９ｍｍとして移動幅を設定している。
【００２５】
灯体４の移動は、埋込型照明器具１が天井に取り付けられた後、例えば、コーン３２の投光用開口３２ａに人が指を入れて、支持体３１又は灯体４を器具取付面Ｃ１に沿って押すことによりなされる。また、灯体４の首振り角の設定は、例えば、埋込型照明器具１が天井に取り付けられた後、例えば、コーン３２の投光用開口３２ａに人が指を入れて、灯体４を首振り方向に押すことによりなされる。灯体４の首振り時には、支持体３１との隙間が開く。しかしながら、支持体３１は遮蔽壁３１２を有するので、天井Ｃ裏への光漏れを防ぐことができ、さらに、天井Ｃ裏の建築構造物が下方から見えないように該構造物を隠すことができる。
【００２６】
上記のように、灯体４と、この灯体４を軸支するねじ８１とを器具取付面Ｃ１に沿う方向に移動させることができるので、灯体４の光源６の光軸（破線で示す）が本体部３のコーン３２と重ならないように、灯体４の首振り角を設定できる。このため、光照射範囲を広く設定できる。さらに、コーン３２の投光用開口３２ａの開口径を一定として、光照射範囲を広く設定できるので、コーン３２の小型化を図ることでき、ひいては埋込型照明器具１の小型化を図ることができる。
【００２７】
本発明は、上記実施形態の構成に限定されるものでなく、使用目的に応じ、様々な変形が可能である。例えば、埋込型照明器具１は、天井Ｃではなく、壁に取り付けられてもよい。また、灯体４の光照射口は、光照射用開口４ａに限定されず、灯体４に納装された光源６の光出射口、又は光源６を囲う反射板の開口であっても構わない。また、ねじ５１に通されるのは、コイルばね５２又はコイルばね５２及び座金５３の代わりに、例えば板ばねであってもよい。
【図面の簡単な説明】
【００２８】
【図１】本発明の一実施形態に係る埋込型照明器具の分解斜視図。
【図２】上記照明器具の本体部の分解斜視図。
【図３】（ａ）は上記照明器具の灯体が移動していないときの同照明器具の斜視図、（ｂ）は同照明器具の構成及び使用状態を示す断面図。
【図４】（ａ）は上記照明器具の灯体が移動したときの同照明器具の斜視図、（ｂ）は同照明器具の構成及び使用状態を示す断面図。
【図５】図４（ａ）に示される状態の照明器具の裁断斜視図。
【符号の説明】
【００２９】
１  埋込型照明器具
２  灯体
３  本体部
３１  支持体
３１１ｂ  長穴
３１３  軸受け部
３２  コーン
３２ａ  投光用開口
３３  取付ばね
４  灯体
４ａ  光照射用開口（光照射口）
４１  軸受け部
６  光源
８１  ねじ（首振り軸）
Ｃ１  器具取付面
【図１】
2008047448.tif 000003
【図２】
2008047448.tif 000004
【図３】
2008047448.tif 000005
【図４】
2008047448.tif 000006
【図５】
2008047448.tif 000007